(57)【要約】【課題】放送日時が変更された場合であっても、アナログ放送の録画予約番組を確実に録画する。【解決手段】ＨＤＤレコーダのＭＰＵ１１は、アナログ放送の録画予約番組が設定された場合に、設定された録画予約番組に対応するデジタル放送の番組である対応デジタル番組を、第１電子番組表情報に基づいて検索する検索実行部１１３と、番組表取得部１１１によって取得された第１電子番組表情報に基づいて、対応デジタル番組が、その放送開始日時及び放送終了日時の少なくとも一方が変更された番組である期間変更番組であるか否かを判定する変更判定部１１４と、期間変更番組であると判定された場合に、対応デジタル番組に対応する録画予約番組の放送開始日時情報及び放送終了日時情報を、期間変更番組の変更後の放送開始日時情報及び放送終了日時情報に更新する録画予約更新部１１５と、を備えている。【選択図】図２
2009118283.tif 000002
【特許請求の範囲】
【請求項１】
デジタル方式のテレビジョン放送を受信する第１受信手段及びアナログ方式のテレビジョン放送を受信する第２受信手段を有し、前記第１受信手段又は第２受信手段を介して受信した映像情報を、通信可能に接続された記録媒体に記録する放送記録装置であって、
予め設定された所定時間毎に、前記第１受信手段を介して、デジタル方式のテレビジョン放送に対応する第１電子番組表情報を取得する番組表取得手段と、
録画する対象の番組である録画予約番組毎に、それぞれ、前記録画予約番組の放送が開始される日時である放送開始日時情報、及び、前記録画予約番組の放送が終了される日時である放送終了日時情報を含む録画予約情報を格納する録画予約記憶手段と、
外部からの操作入力を受け付けて、受け付けられた操作入力に基づいて、前記第２受信手段を介して受信されるアナログ方式のテレビジョン放送の番組の中から、前記録画予約番組を設定すると共に、設定された録画予約番組に対応する録画予約情報を前記録画予約記憶手段に記録する録画予約設定手段と、
前記録画予約設定手段によって録画予約番組が設定された場合に、設定された録画予約番組に対応するデジタル方式のテレビジョン放送の番組である対応デジタル番組を、前記第１電子番組表情報に基づいて検索し、検索された対応デジタル番組を識別する情報である番組識別情報を、前記録画予約記憶手段に、設定された録画予約番組に対応する録画予約情報と対応付けて記録する検索実行手段と、
予め設定された所定時間毎に、前記番組表取得手段によって取得された第１電子番組表情報から、前記録画予約記憶手段に格納された各番組識別情報に対応する対応デジタル番組の放送開始日時情報及び放送終了日時情報を抽出し、各対応デジタル番組について、その放送開始日時及び放送終了日時の少なくとも一方が変更された番組である期間変更番組であるか否かを判定する変更判定手段と、
前記変更判定手段によって期間変更番組であると判定された場合に、前記録画予約記憶手段に格納され、期間変更番組であると判定された対応デジタル番組に対応する録画予約番組の録画予約情報に含まれる放送開始日時情報及び放送終了日時情報を、前記期間変更番組の変更後の放送開始日時情報及び放送終了日時情報に更新する録画予約更新手段と、
前記録画予約記憶手段に格納された録画予約情報に基づいて、前記録画予約番組を、前記第２受信手段を介して受信して前記記録媒体に記録する記録実行手段と、
を備えることを特徴とする放送記録装置。
【請求項２】
前記番組表取得手段は、予め設定された所定時間毎に、前記第２受信手段を介して、アナログ方式のテレビジョン放送に対応する第２電子番組表情報を取得し、
前記検索実行手段は、前記対応デジタル番組を、前記第１電子番組表情報及び第２電子番組表情報に基づいて検索することを特徴とする請求項１に記載の放送記録装置。
【請求項３】
前記検索実行手段は、前記対応デジタル番組を、前記録画予約番組の放送開始日時情報、放送終了日時情報、該番組が放送される放送局を識別する情報である放送局識別情報、及び、番組名称情報の内、少なくとも１の情報に基づいて検索することを特徴とする請求項１又は請求項２に記載の放送記録装置。
【請求項４】
前記変更判定手段は、前記記録実行手段によって、前記録画予約記憶手段に格納された録画予約情報に対応する各録画予約番組が前記記録媒体に記録されるまで、各録画予約番組に対応する対応デジタル番組が前記期間変更番組であるか否かを判定することを特徴とする請求項１〜請求項３のいずれかに記載の放送記録装置。
【請求項５】
前記変更判定手段は、前記番組表取得手段によって第１電子番組表情報が取得される度に、前記期間変更番組であるか否かを判定することを特徴とする請求項１〜請求項４のいずれかに記載の放送記録装置。
【発明の詳細な説明】
【技術分野】
【０００１】
本発明は、デジタル方式のテレビジョン放送を受信する第１受信手段及びアナログ方式のテレビジョン放送を受信する第２受信手段を有し、前記第１受信手段又は第２受信手段を介して受信した映像情報を、通信可能に接続された記録媒体に記録する放送記録装置に関する。
【背景技術】
【０００２】
従来、テレビジョン放送を受信してＨＤＤ（Ｈａｒｄ  Ｄｉｓｋ  Ｄｒｉｖｅ）等の記録媒体に記録する放送記録装置においては、電子番組表（ＥＰＧ：Ｅｌｅｃｔｒｏｎｉｃ  Ｐｒｏｇｒａｍ  Ｇｕｉｄｅ）情報等を介して、放送番組の録画を予約する録画予約機能が搭載されている。
【０００３】
しかし、録画予約された番組の放送時間が変更（延長を含む）されて、放送開始日時又は放送終了日時が変更になった場合に、外出等の理由により放送記録装置をユーザが操作できないこと等に起因して、録画予約された番組を録画できないという問題があった。
【０００４】
上記問題を解消するために、例えば、ＥＰＧを参照して、予約されている放送番組の放送時間が変更されているか否か判定し、予約されている放送番組の放送時間が変更されていると判定すると、録画予約情報テーブルの録画予約時間を、取得したＥＰＧの放送時間に変更するか否かのメールを携帯端末に送信する映像記録装置が開示されている（特許文献１参照）。
【特許文献１】特開２００７−１１０５６１号公報
【発明の開示】
【発明が解決しようとする課題】
【０００５】
しかしながら、上記映像記録装置では、ＥＰＧを参照して、予約されている放送番組の放送時間が変更されていないか否か判定されるが、アナログ方式のテレビジョン放送においては、電子番組表（ＥＰＧ：Ｅｌｅｃｔｒｏｎｉｃ  Ｐｒｏｇｒａｍ  Ｇｕｉｄｅ）情報の更新頻度が少ない（例えば、１回／日）ため、録画予約された番組を録画できない場合があった。
【０００６】
すなわち、アナログ方式のテレビジョン放送において、放送局側の事情等に起因して、実際には放送番組の放送日時が変更されているが、その変更に対応する更新後の電子番組表情報が映像記録装置において受信されていないため、録画予約された番組を録画できない場合がある。
【０００７】
本発明は、上記課題に鑑みてなされたものであって、放送日時が変更された場合であっても、アナログ放送の録画予約番組を確実に録画することの可能な放送記録装置を提供することを目的としている。
【課題を解決するための手段】
【０００８】
上記目的を達成するために請求項１に記載の放送記録装置は、デジタル方式のテレビジョン放送を受信する第１受信手段及びアナログ方式のテレビジョン放送を受信する第２受信手段を有し、前記第１受信手段又は第２受信手段を介して受信した映像情報を、通信可能に接続された記録媒体に記録する放送記録装置であって、予め設定された所定時間毎に、前記第１受信手段を介して、デジタル方式のテレビジョン放送に対応する第１電子番組表情報を取得する番組表取得手段と、録画する対象の番組である録画予約番組毎に、それぞれ、前記録画予約番組の放送が開始される日時である放送開始日時情報、及び、前記録画予約番組の放送が終了される日時である放送終了日時情報を含む録画予約情報を格納する録画予約記憶手段と、外部からの操作入力を受け付けて、受け付けられた操作入力に基づいて、前記第２受信手段を介して受信されるアナログ方式のテレビジョン放送の番組の中から、前記録画予約番組を設定すると共に、設定された録画予約番組に対応する録画予約情報を前記録画予約記憶手段に記録する録画予約設定手段と、前記録画予約設定手段によって録画予約番組が設定された場合に、設定された録画予約番組に対応するデジタル方式のテレビジョン放送の番組である対応デジタル番組を、前記第１電子番組表情報に基づいて検索し、検索された対応デジタル番組を識別する情報である番組識別情報を、前記録画予約記憶手段に、設定された録画予約番組に対応する録画予約情報と対応付けて記録する検索実行手段と、予め設定された所定時間毎に、前記番組表取得手段によって取得された第１電子番組表情報から、前記録画予約記憶手段に格納された各番組識別情報に対応する対応デジタル番組の放送開始日時情報及び放送終了日時情報を抽出し、各対応デジタル番組について、その放送開始日時及び放送終了日時の少なくとも一方が変更された番組である期間変更番組であるか否かを判定する変更判定手段と、前記変更判定手段によって期間変更番組であると判定された場合に、前記録画予約記憶手段に格納され、期間変更番組であると判定された対応デジタル番組に対応する録画予約番組の録画予約情報に含まれる放送開始日時情報及び放送終了日時情報を、前記期間変更番組の変更後の放送開始日時情報及び放送終了日時情報に更新する録画予約更新手段と、前記録画予約記憶手段に格納された録画予約情報に基づいて、前記録画予約番組を、前記第２受信手段を介して受信して前記記録媒体に記録する記録実行手段と、を備えることを特徴としている。
【０００９】
請求項２に記載の放送記録装置は、請求項１に記載の放送記録装置であって、前記番組表取得手段が、予め設定された所定時間毎に、前記第２受信手段を介して、アナログ方式のテレビジョン放送に対応する第２電子番組表情報を取得し、前記検索実行手段が、前記対応デジタル番組を、前記第１電子番組表情報及び第２電子番組表情報に基づいて検索することを特徴としている。
【００１０】
請求項３に記載の放送記録装置は、請求項１又は請求項２に記載の放送記録装置であって、前記検索実行手段が、前記対応デジタル番組を、前記録画予約番組の放送開始日時情報、放送終了日時情報、該番組が放送される放送局を識別する情報である放送局識別情報、及び、番組名称情報の内、少なくとも１の情報に基づいて検索することを特徴としている。
【００１１】
請求項４に記載の放送記録装置は、請求項１〜請求項３のいずれかに記載の放送記録装置であって、前記変更判定手段が、前記記録実行手段によって、前記録画予約記憶手段に格納された録画予約情報に対応する各録画予約番組が前記記録媒体に記録されるまで、各録画予約番組に対応する対応デジタル番組が前記期間変更番組であるか否かを判定することを特徴としている。
【００１２】
請求項５に記載の放送記録装置は、請求項１〜請求項４のいずれかに記載の放送記録装置であって、前記変更判定手段が、前記番組表取得手段によって第１電子番組表情報が取得される度に、前記期間変更番組であるか否かを判定することを特徴としている。
【発明の効果】
【００１３】
請求項１に記載の放送記録装置によれば、予め設定された所定時間毎に、デジタル方式のテレビジョン放送を受信する第１受信手段を介して、デジタル方式のテレビジョン放送に対応する第１電子番組表情報が取得され、外部からの操作入力が受け付けられて、受け付けられた操作入力に基づいて、アナログ方式のテレビジョン放送を受信する第２受信手段を介して受信されるアナログ方式のテレビジョン放送の番組の中から、録画する対象の番組である録画予約番組が設定されると共に、設定された録画予約番組の放送が開始される日時である放送開始日時情報、及び、録画予約番組の放送が終了される日時である放送終了日時情報を含む録画予約情報が録画予約記憶手段に記録される。
【００１４】
そして、録画予約設定手段によって録画予約番組が設定された場合に、設定された録画予約番組に対応するデジタル方式のテレビジョン放送の番組である対応デジタル番組が、第１電子番組表情報に基づいて検索され、検索された対応デジタル番組を識別する情報である番組識別情報が、録画予約記憶手段に、設定された録画予約番組に対応する録画予約情報と対応付けて記録される。また、予め設定された所定時間毎に、取得された第１電子番組表情報から、録画予約記憶手段に格納された各番組識別情報に対応する対応デジタル番組の放送開始日時情報及び放送終了日時情報が抽出され、各対応デジタル番組について、その放送開始日時及び放送終了日時の少なくとも一方が変更された番組である期間変更番組であるか否かが判定される。
【００１５】
更に、期間変更番組であると判定された場合に、録画予約記憶手段に格納され、期間変更番組であると判定された対応デジタル番組に対応する録画予約番組の録画予約情報に含まれる放送開始日時情報及び放送終了日時情報が、期間変更番組の変更後の放送開始日時情報及び放送終了日時情報に更新され、録画予約記憶手段に格納された録画予約情報に基づいて、録画予約番組が、第２受信手段を介して受信されて前記記録媒体に記録されるため、放送日時が変更された場合であっても、確実にアナログ放送の録画予約番組を録画することができる。
【００１６】
すなわち、デジタル放送の第１電子番組表情報に基づいて、録画予約記憶手段に格納されたアナログ放送の各録画予約番組に対応するデジタル放送の番組である各対応デジタル番組について、その放送開始日時及び放送終了日時の少なくとも一方が変更された番組である期間変更番組であるか否かが判定されるため、デジタル放送の第１電子番組表情報に基づいて、アナログ放送の録画予約番組に対応するデジタル放送の番組である対応デジタル番組の放送日時が変更されたか否かが判定されるので、アナログ放送の録画予約番組の放送日時が変更されたか否かを早期に判定することができるのである。
【００１７】
また、期間変更番組であると判定された場合に、期間変更番組であると判定された対応デジタル番組に対応する録画予約番組の録画予約情報に含まれる放送開始日時情報及び放送終了日時情報が、期間変更番組の変更後の放送開始日時情報及び放送終了日時情報に更新されて、更新された放送開始日時情報及び放送終了日時情報に基づいて第２受信手段を介して受信されて記録媒体に記録されるため、アナログ放送の録画予約番組の放送日時が変更された場合に、アナログ放送の録画予約番組に対応するデジタル放送の番組である対応デジタル番組の放送日時に基づいて受信されて記録媒体に記録されるので、放送日時が変更された場合であっても、アナログ放送の録画予約番組を確実に録画することができるのである。
【００１８】
つまり、デジタル方式のテレビジョン放送に対応する第１電子番組表情報は、頻繁に（例えば、１０分毎に）更新されるため、アナログ放送の録画予約番組の放送日時が変更された場合には、アナログ放送の録画予約番組に対応するデジタル放送の番組である対応デジタル番組の放送日時が変更されたことを、第１電子番組表情報に基づいて、早期に（例えば、１０分後に）判定し、変更後の放送日時情報を取得することができるので、放送日時が変更された場合であっても、アナログ放送の録画予約番組を確実に録画することができるのである。
【００１９】
請求項２に記載の放送記録装置によれば、予め設定された所定時間毎に、第２受信手段を介して、アナログ方式のテレビジョン放送に対応する第２電子番組表情報が取得され、対応デジタル番組が、第１電子番組表情報及び第２電子番組表情報に基づいて検索されるため、放送日時が変更された場合であっても、更に確実にアナログ放送の録画予約番組を録画することができる。
【００２０】
すなわち、予め設定された所定時間毎に、第２受信手段を介して、アナログ方式のテレビジョン放送に対応する第２電子番組表情報が取得され、対応デジタル番組が、第１電子番組表情報及び第２電子番組表情報に基づいて検索されるため、アナログ放送の録画予約番組に対応するデジタル放送の番組である対応デジタル番組を、第１電子番組表情報及び第２電子番組表情報に含まれる種々の情報（放送開始日時情報、放送終了日時情報、番組が放送される放送局を識別する情報である放送局識別情報、番組名称情報等）に基づいて、的確な対応デジタル番組を検索することができるので、放送日時が変更された場合であっても、更に確実にアナログ放送の録画予約番組を録画することができるのである。
【００２１】
請求項３に記載の放送記録装置によれば、対応デジタル番組が、録画予約番組の放送開始日時情報、放送終了日時情報、該番組が放送される放送局を識別する情報である放送局識別情報、及び、番組名称情報の内、少なくとも１の情報に基づいて検索されるため、更に的確な対応デジタル番組を検索することができるので、放送日時が変更された場合であっても、更に確実にアナログ放送の録画予約番組を録画することができる。
【００２２】
請求項４に記載の放送記録装置によれば、記録画予約記憶手段に格納された録画予約情報に対応する各録画予約番組が記録媒体に記録されるまで、各録画予約番組に対応する対応デジタル番組が期間変更番組であるか否かが判定されるため、放送日時が変更された場合であっても、更に確実にアナログ放送の録画予約番組を録画することができる。
【００２３】
すなわち、例えば、録画予約番組（例えば、プロ野球の実況放送番組）が延長される場合には、延長されるか否かの判定は、該録画予約番組の放送終了直前（例えば、１５分前）になって行われることがあるが、このような場合であっても、録画予約記憶手段に格納された録画予約情報に対応する各録画予約番組が記録媒体に記録されるまで、各録画予約番組に対応する対応デジタル番組が期間変更番組であるか否かを判定することによって、期間変更番組であるか否かを適切に判定することが可能となるので、放送日時が変更された場合（ここでは、放送終了直前に延長された場合）であっても、更に確実にアナログ放送の録画予約番組を録画することができるのである。
【００２４】
請求項５に記載の放送記録装置によれば、第１電子番組表情報が取得される度に、期間変更番組であるか否かが判定されるため、実行可能な範囲で最も頻繁に期間変更番組であるか否かが判定されるので、放送日時が変更された場合であっても、更に確実にアナログ放送の録画予約番組を録画することができる。
【発明を実施するための最良の形態】
【００２５】
以下に本発明の実施形態を、図面を参照しながら説明する。図１は、本発明に係るＨＤＤレコーダの構成の一例を示すブロック図である。ＨＤＤレコーダ１（放送記録装置に相当する）は、デジタル方式のテレビジョン放送及びアナログ方式のテレビジョン放送を受信し、出力装置２に配設されたディスプレイ２１及びスピーカ２２に出力すると共に、ＨＤＤ１９に記録するものであって、ＭＰＵ１１、ＲＡＭ１２、ＲＯＭ１３、操作部１４、受信部１５、音声出力部１６、ＭＰＥＧ２デコード部１７、画像出力部１８、及び、ＨＤＤ１９を備えている。
【００２６】
また、ＨＤＤレコーダ１は、出力装置２と通信可能に接続されると共に、リモートコントローラ（ｒｅｍｏｔｅ  ｃｏｎｔｒｏｌｌｅｒ：以下、「リモコン」という）３と赤外線通信を介して通信可能に接続されている。
【００２７】
出力装置２は、ＨＤＤレコーダ１からの映像信号及び音声信号に対応する映像及び音声を出力するものであって、ディスプレイ２１及びスピーカ２２を備えている。ディスプレイ２１は、ＬＣＤ（Ｌｉｑｕｉｄ  Ｃｒｙｓｔａｌ  Ｄｉｓｐｌａｙ）、ＰＤＰ（Ｐｌａｓｍａ  Ｄｉｓｐｌａｙ  Ｐａｎｅｌ）等からなり、ＨＤＤレコーダ１（映像信号出力部１８２）から出力された映像信号に対応する映像を表示するものである。ただし、受信部１５Ｂによって受信されたアナログのテレビジョン放送に対応する映像を出力する場合には、ＮＴＳＣエンコード部１８１を介さずに、映像信号出力部１８２に映像信号が入力される（図示省略）。
【００２８】
スピーカ２２は、ＨＤＤレコーダ１（音声信号出力部１６２）から出力された音声信号に対応する音声を出力するものである。ただし、受信部１５Ｂによって受信されたアナログのテレビジョン放送に対応する音声を出力する場合には、Ｄ／Ａ変換部１６１を介さずに、音声信号出力部１６２に音声信号が入力される（図示省略）。
【００２９】
リモコン３（録画予約設定手段の一部に相当する）は、電源キー、テンキー等の複数のキーを備え、キーの押下を介してユーザからの操作入力を受け付けて、操作入力に対応する赤外線信号を生成して、ＨＤＤレコーダ１に対して出力するものである。
【００３０】
ＭＰＵ（Ｍｉｃｒｏ  Ｐｒｏｃｅｓｓｉｎｇ  Ｕｎｉｔ）１１は、ＨＤＤレコーダ１全体の動作を制御するものである。ＲＡＭ（Ｒａｎｄｏｍ  Ａｃｃｅｓｓ  Ｍｅｍｏｒｙ）１２は、音声情報、映像情報等の情報を読み書き自在に格納するものである。ＲＯＭ（Ｒｅａｄ  Ｏｎｌｙ  Ｍｅｍｏｒｙ）１３は、ＭＰＵ１１を動作させる制御プログラム等を格納するものである。操作部１４は、電源のＯＮ、ＯＦＦ操作、選局等の各種操作を受け付けると共に、リモコン３からの各種操作を、赤外線通信を介して受け付けるものである。
【００３１】
受信部１５は、デジタル方式及びアナログ方式のテレビジョン放送を受信して復調するものであって、第１受信部１５Ａ、及び、第２受信部１５Ｂを備えている。受信部１５Ａ（第１受信手段に相当する）は、デジタル方式のテレビジョン放送を受信して復調するものであって、アンテナ部１５１Ａ、チューナ部１５２Ａ、Ａ／Ｄ変換部１５３Ａ、デジタル復調部１５４Ａ、及び、ＴＳデマルチプレクサ１５５Ａを備えている。受信部１５Ｂ（第２受信手段に相当する）は、アナログ方式のテレビジョン放送を受信して復調するものであって、アンテナ部１５１Ｂ、チューナ部１５２Ｂ、及び、アナログ復調部１５３Ｂを備えている。なお、第１受信部１５Ａと第２受信部１５Ｂとは、以下の説明においては、特に必要な場合を除いて、両者を区別することなく受信部１５と総称する。
【００３２】
アンテナ部１５１Ａは、デジタル方式のテレビジョン放送波を受信するものである。チューナ部１５２Ａは、アンテナ部１５１Ａで受信されたテレビジョン放送波から、予め設定されたチャンネルの放送を選局するものである。Ａ／Ｄ変換部１５３Ａは、チューナ部１５２Ａからの出力信号（＝アナログ信号）をデジタル情報に変換するものである。デジタル復調部１５４Ａは、Ａ／Ｄ変換部１５３Ａからの出力情報を復調するものである。ＴＳ（Ｔｒａｎｓｐｏｒｔ  Ｓｔｒｅａｍ）デマルチプレクサ１５５Ａは、デジタル復調部１５４Ａによって復調された出力情報を種別毎に分離して出力するものである。
【００３３】
アンテナ部１５１Ｂは、アナログ方式のテレビジョン放送波を受信するものである。チューナ部１５２Ｂは、アンテナ部１５１Ｂで受信されたテレビジョン放送波から、予め設定されたチャンネルの放送を選局するものである。アナログ復調部１５３Ｂは、チューナ部１５２Ｂからの出力信号を映像信号及び音声信号に復調するものである。
【００３４】
音声出力部１６は、受信部１５によって受信されたデジタル方式のテレビジョン放送（又はアナログのテレビジョン放送）に対応する音声を出力するものであって、Ｄ／Ａ変換部１６１、及び、音声信号出力部１６２を備えている。Ｄ／Ａ変換部１６１は、ＴＳデマルチプレクサ１５５Ａから出力された音声情報（＝デジタル情報）をアナログ信号に変換するものである。音声信号出力部１６２は、Ｄ／Ａ変換部１６１によってアナログ信号に変換された音声信号を出力装置２のスピーカ２２に対して出力するものである。
【００３５】
ＭＰＥＧ（Ｍｏｔｉｏｎ  Ｐｉｃｔｕｒｅ  Ｅｘｐｅｒｔｓ  Ｇｒｏｕｐ）２デコード部１７は、ＴＳデマルチプレクサ１５５Ａから出力されたデジタル方式のテレビジョン放送の映像情報を圧縮前の映像情報に復号化するものである。
【００３６】
画像出力部１８は、ＭＰＥＧ２デコード部１７によって復号化されたデジタル方式のテレビジョン放送の映像情報、又は、アナログ復調部１５３Ｂによって復調された映像信号を出力するものであって、ＮＴＳＣエンコード部１８１、及び、映像信号出力部１８２、を備えている。ＮＴＳＣ（Ｎａｔｉｏｎａｌ  Ｔｅｌｅｖｉｓｉｏｎ  Ｓｔａｎｄａｒｄｓ  Ｃｏｍｍｉｔｔｅｅ）エンコード部１８１は、ＭＰＥＧ２デコード部１７によって復号化された映像情報をＮＴＳＣ方式のテレビジョン信号に変換するものである。映像信号出力部１８２は、ＮＴＳＣエンコード部１８１から出力されたＮＴＳＣ方式のテレビジョン信号を出力装置２のディスプレイ２１に対して出力するものである。
【００３７】
ＨＤＤ（Ｈａｒｄ  Ｄｉｓｋ  Ｄｒｉｖｅ）１９（記録媒体に相当する）は、ＭＰＵ１１（図２に示す記録実行部１１６）からの指示に従って、受信部１５を介して受信された映像情報、音声情報等を、インターフェイス部１９１を介して格納するものである。
【００３８】
次に、ＨＤＤレコーダ１がデジタル方式のテレビジョン放送（＝デジタル放送）を受信する場合の動作について説明する。まず、送信されてきたデジタル放送波がアンテナ部１５１Ａで受信される。リモコン３を介して選局操作が受け付けられた場合には、チューナ部１５２Ａによって受信するトランスポンダ（Ｔｒａｎｓｐｏｎｄｅｒ）の切換が行われる。受信されたデジタル放送波は、Ａ／Ｄ変換部１５３Ａによりデジタル情報に変換され、デジタル復調部１５４Ａによって復調される。
【００３９】
なお、デジタル放送波は、送信側（送信局）からＴＳ（Ｔｒａｎｓｐｏｒｔ  Ｓｔｒｅａｍ）パケットとして送信される。このＴＳパケットは、映像情報、音声情報、制御情報等からなり、これらの情報がＴＳデマルチプレクサ１５５Ａによって、分離して出力され、ＲＡＭ１２に格納される。そして、ＲＡＭ１２から読み出されたテレビジョン放送に対応する音声情報がＤ／Ａ変換部１６１によってアナログ信号に変換され、音声信号出力部１６２を介して出力装置２のスピーカ２２から音声が出力される。
【００４０】
また、ＲＡＭ１２から読み出されたテレビジョン放送に対応する映像情報がＭＰＥＧ２デコード部１７によって圧縮前の映像情報に復号化され、ＮＴＳＣエンコード部１８１によってＮＴＳＣ方式のテレビジョン信号に変換されて、映像信号出力部１８２を介して出力装置２のディスプレイ２１に映像が表示される。
【００４１】
次いで、ＨＤＤレコーダ１がアナログ方式のテレビジョン放送（＝アナログ放送）を受信する場合の動作について説明する。まず、送信されてきたアナログ放送波がアンテナ部１５１Ｂで受信される。リモコン３を介して選局操作が受け付けられた場合には、チューナ部１５２Ｂによって受信するトランスポンダ（Ｔｒａｎｓｐｏｎｄｅｒ）の切換が行われる。受信されたアナログ放送波は、アナログ復調部１５３Ｂによって復調される。
【００４２】
そして、アナログ方式のテレビジョン放送に対応する音声信号が音声信号出力部１６２を介して出力装置２のスピーカ２２から音声が出力される。また、アナログ放送の映像信号が映像信号出力部１８２を介して出力装置２のディスプレイ２１に伝送されて、映像が出力装置２のディスプレイ２１に表示される。
【００４３】
図２は、本発明に係るＨＤＤレコーダ１における主要部の機能構成の一例を示す構成図である。ＭＰＵ１１は、機能的に、番組表取得部１１１、録画予約設定部１１２、検索実行部１１３、変更判定部１１４、録画予約更新部１１５、及び、記録実行部１１６を備え、ＲＡＭ１２は、機能的に、番組表記憶部１２１、及び、録画予約記憶部１２２を備えている。
【００４４】
ここでは、ＭＰＵ１１が、図１に示すＲＯＭ１３等に予め格納された制御プログラムを読み出して実行することにより、番組表取得部１１１、録画予約設定部１１２、検索実行部１１３、変更判定部１１４、録画予約更新部１１５、記録実行部１１６等の機能部として機能し、ＲＡＭ１２を、番組表記憶部１２１、録画予約記憶部１２２等の機能部として機能させるものである。
【００４５】
また、ＲＡＭ１２、図１に示すＲＯＭ１３に格納された各種データのうち装着脱可能な記録媒体に格納され得るデータは、例えばハードディスクドライブ、光ディスクドライブ、フレキシブルディスクドライブ、シリコンディスクドライブ、カセット媒体読み取り機等のドライバで読み取り可能にしても良く、この場合、記録媒体は、例えばハードディスク、光ディスク、フレキシブルディスク、ＣＤ（Ｃｏｍｐａｃｔ  Ｄｉｓｋ）、ＤＶＤ（Ｄｉｇｉｔａｌ  Ｖｅｒｓａｔｉｌｅ  Ｄｉｓｋ）、半導体メモリ等である。
【００４６】
番組表記憶部１２１は、番組表取得部１１１によって取得されたデジタル方式のテレビジョン放送及びアナログ方式のテレビジョン放送にそれぞれ対応する電子番組表（ＥＰＧ：Ｅｌｅｃｔｒｏｎｉｃ  Ｐｒｏｇｒａｍ  Ｇｕｉｄｅ）情報である第１電子番組表情報及び第２電子番組表情報を格納するものである。なお、番組表記憶部１２１に格納された第１電子番組表情報は、検索実行部１１３及び変更判定部１１４によって読み出され、番組表記憶部１２１に格納された第２電子番組表情報は、録画予約設定部１１２及び検索実行部１１３によって読み出される。
【００４７】
録画予約記憶部１２２（録画予約記憶手段に相当する）は、アナログ方式のテレビジョン放送を介して受信される番組の内、録画する対象の番組である録画予約番組として設定された番組毎に、それぞれ、放送が開始される日時である放送開始日時情報、及び、放送が終了される日時である放送終了日時情報を含む録画予約情報を格納するものである。なお、録画予約記憶部１２２に格納される録画予約情報は、録画予約設定部１１２によって記録され（＝書き込まれ）、録画予約更新部１１５によって更新され、変更判定部１１４、及び、記録実行部１１６によって読み出される。
【００４８】
番組表取得部１１１（番組表取得手段に相当する）は、予め設定された所定時間毎に、第１受信部１５Ａ及び第２受信部１５Ｂを介して、デジタル方式のテレビジョン放送及びアナログ方式のテレビジョン放送にそれぞれ対応する電子番組表情報である第１電子番組表情報及び第２電子番組表情報を取得すると共に、取得した第１電子番組表情報及び第２電子番組表情報を番組表記憶部１２１に記録する（＝書き込む）ものである。
【００４９】
また、番組表取得部１１１は、例えば、デジタル方式のテレビジョン放送の電子番組表情報である第１電子番組表情報を、１０分毎に取得し、アナログ方式のテレビジョン放送の電子番組表情報である第２電子番組表情報を、２４時間毎に取得する。
【００５０】
録画予約設定部１１２（録画予約設定手段の一部に相当する）は、リモコン３を介してユーザからの操作入力を受け付けて、受け付けられた操作入力に基づいて、第２受信部１５Ｂを介して受信される番組（＝アナログ方式のテレビジョン放送を介して放送される番組）の中から、録画する対象の番組である録画予約番組を設定すると共に、設定された録画予約番組に対応する録画予約情報を録画予約記憶部１２２に記録する（＝書き込む）ものである。
【００５１】
検索実行部１１３（検索実行手段に相当する）は、録画予約設定部１１２によって録画予約番組が設定された場合に、設定された録画予約番組に対応するデジタル方式のテレビジョン放送の番組である対応デジタル番組を、番組表記憶部１２１に格納された第１電子番組表情報及び第２電子番組表情報に基づいて検索し、検索された対応デジタル番組を識別する情報である番組識別情報（いわゆる、番組ＩＤ）を、録画予約記憶部１２２に、設定された録画予約番組に対応する録画予約情報と対応付けて記録するものである。
【００５２】
具体的には、検索実行部１１３は、アナログ方式のテレビジョン放送の録画予約番組に対応するデジタル方式のテレビジョン放送の番組である対応デジタル番組を、録画予約番組の放送開始日時情報、放送終了日時情報、該番組が放送される放送局を識別する情報である放送局識別情報、及び、番組名称情報に基づいて検索するものである。
【００５３】
例えば、検索実行部１１３は、下記の条件１、条件２、条件３の全てを満たす場合に、対応デジタル番組であると判定するものである。
条件１：放送開始日時及び放送終了日時が、録画予約番組の放送開始日時及び放送終了日時と、それぞれ略一致する（例えば、日時の差がそれぞれ５分以内である）。
条件２：放送局識別情報が録画予約番組の放送局識別情報と一致する。
条件３：番組名称情報が録画予約番組の番組名称情報と略一致する（例えば、番組名称を示す文字列の８０％以上が一致する）。
【００５４】
変更判定部１１４（変更判定手段に相当する）は、予め設定された所定時間（例えば、１０分）毎に、番組表取得部１１１によって取得された第１電子番組表情報から、録画予約記憶部１２２に格納された各番組識別情報に対応する対応デジタル番組の放送開始日時情報及び放送終了日時情報を抽出し、各対応デジタル番組について、その放送開始日時及び放送終了日時の少なくとも一方が変更された番組である期間変更番組であるか否かを判定するものである。
【００５５】
すなわち、変更判定部１１４は、番組表取得部１１１によって取得された第１電子番組表情報に含まれる対応デジタル番組の放送開始日時情報及び放送終了日時情報が、それぞれ、録画予約記憶部１２２に格納された対応デジタル番組に対応する録画予約番組の放送開始日時情報及び放送終了日時情報と一致するか否かを判定し、放送開始日時情報及び放送終了日時情報の少なくとも一方が一致しないと判定された場合に、該対応デジタル番組録を期間変更番組であると判定するものである。
【００５６】
また、変更判定部１１４は、録画予約設定部１１２によって、録画予約番組として設定され、対応する録画予約情報が録画予約記憶部１２２に記録された時点から、記録実行部１１６によって、録画予約番組がＨＤＤ１９に記録される時点まで、各録画予約番組に対応する対応デジタル番組が期間変更番組であるか否かを判定するものである。
【００５７】
更に、変更判定部１１４は、番組表取得部１１１によって第１電子番組表情報が取得される度に、各録画予約番組が期間変更番組であるか否かを判定するものである。すなわち、変更判定部１１４は、実行可能な範囲で最も頻繁に、各録画予約番組が期間変更番組であるか否かを判定するものである。
【００５８】
録画予約更新部１１５（録画予約更新手段に相当する）は、変更判定部１１４によって期間変更番組であると判定された場合に、録画予約記憶部１２２に格納され、期間変更番組であると判定された対応デジタル番組に対応する録画予約番組の録画予約情報に含まれる放送開始日時情報及び放送終了日時情報を、期間変更番組の変更後の放送開始日時情報及び放送終了日時情報（＝番組表取得部１１１によって取得された第１電子番組表情報に含まれる対応デジタル番組の放送開始日時情報及び放送終了日時情報）に更新するものである。
【００５９】
また、録画予約更新部１１５は、記録実行部１１６によって録画予約番組がＨＤＤ１９に記録された場合に、対応する録画予約情報を録画予約記憶部１２２から消去するものである。
【００６０】
記録実行部１１６（記録実行手段に相当する）は、録画予約記憶部１２２に格納された録画予約情報に対応する録画予約番組を、アナログ方式のテレビジョン放送を受信する第２受信部１５Ｂを介して受信してＨＤＤ１９に記録する（＝書き込む）ものである。
【００６１】
図３は、録画予約番組の放送終了日時が更新される場合における番組表の変遷の一例を示す図表である。（ａ）は、録画予約設定部１１２によって設定された録画予約番組及び対応デジタル番組を示す図表であり、（ｂ）は、対応デジタル番組の放送終了日時が更新され、録画予約番組の放送終了日時が更新されていない状態（例えば、放送終了日時が更新された時点から１５分後の状態）を示す図表であり、（ｃ）は、対応デジタル番組及び録画予約番組の放送終了日時が更新された状態（例えば、放送終了日時が更新された時点から２５時間後の状態）を示す図表である。
【００６２】
各図表の縦軸は、日時（ここでは、午後１０時〜午前２時まで）であり、横軸は、チャンネル番号である。なお、各図表において、右側欄は、チャンネル番号が「５」のアナログ放送であって、「ＡＡＡ放送」という名称の放送局から放送される番組であり、左側欄は、チャンネル番号が「５」のデジタル放送であって、「ＡＡＡ放送」という名称の放送局から放送される番組である。また各図表において、太実線の枠で示す番組は、録画予約番組として設定された番組であり、太破線の枠で示す番組は、対応デジタル番組として検索された番組である。
【００６３】
（ａ）に示すように、ここでは、チャンネル番号が「５」であるＡＡＡ放送（アナログ放送）において、午後１１時〜午後１２時に放送される番組Ａ２が録画予約番組として設定され、チャンネル番号が「４」であるＡＡＡ放送（デジタル放送）において、午後１１時〜午後１２時に放送される番組Ａ２が対応デジタル番組として検索されている。
【００６４】
（ｂ）に示すように、ここでは、チャンネル番号が「４」であるＡＡＡ放送（デジタル放送）において、対応デジタル番組である番組Ａ２の放送終了日時が午後１２時から午前１時に延長されている。しかし、チャンネル番号が「５」であるＡＡＡ放送（アナログ放送）においては、番組表取得部１１１によって、録画予約番組である番組Ａ２の放送終了日時が延長されたことを示す第２電子番組表情報が取得されていないため、録画予約番組である番組Ａ２の放送終了日時が午後１２時から午前１時に延長されていない。
【００６５】
（ｃ）に示すように、チャンネル番号が「５」であるＡＡＡ放送（アナログ放送）において、番組表取得部１１１によって、録画予約番組である番組Ａ２の放送終了日時が延長されたことを示す第２電子番組表情報が取得され、録画予約番組である番組Ａ２の放送終了日時が午後１２時から午前１時に延長されている。
【００６６】
（ｂ）に示すような状況においても、本発明に係るＨＤＤレコーダ１においては、変更判定部１１４によって、対応デジタル番組であるチャンネル番号が「４」の番組Ａ２が期間変更番組であると判定され、録画予約更新部１１５によって、録画予約記憶部１２２に格納された対応デジタル番組（＝チャンネル番号が「４」の番組Ａ２）に対応する録画予約番組（＝チャンネル番号が「５」の番組Ａ２）の録画予約情報に含まれる放送終了日時（ここでは、午後１２時）が、期間変更番組の変更後の放送終了日時（ここでは、午前１時）に更新されるので、確実にアナログ放送の録画予約番組（＝チャンネル番号が「５」の番組Ａ２）を録画することができるのである。
【００６７】
図４は、ＨＤＤレコーダ１（主にＭＰＵ１１）における録画予約情報の更新動作の一例を示すフローチャートである。なお、ここでは、便宜上、番組表取得部１１１によって第１電子番組表情報及び第２電子番組表情報が予め取得され、取得された第１電子番組表情報及び第２電子番組表情報が番組表記憶部１２１に格納されており、録画予約設定部１１２によって録画予約番組が予め設定され、設定された録画予約番組に対応する録画予約情報が録画予約記憶部１２２に格納されている場合について説明する。まず、録画予約設定部１１２によって、リモコン３を介して録画予約番組が設定されたか否かの判定が行われる（Ｓ１０１）。
【００６８】
録画予約番組が設定されていないと判定された場合（Ｓ１０１でＮＯ）には、処理がステップＳ１０７に進められる。録画予約番組が設定されたと判定された場合（Ｓ１０１でＹＥＳ）には、検索実行部１１３によって、設定された録画予約番組に対応するデジタル方式のテレビジョン放送の番組である対応デジタル番組が検索される（Ｓ１０３）。そして、検索実行部１１３によって、対応デジタル番組の番組ＩＤ情報が録画予約記憶部１２２に記録される（Ｓ１０５）。
【００６９】
ステップＳ１０１でＮＯの場合、又は、ステップＳ１０５の処理が終了した場合には、番組表取得部１１１によって、デジタル方式のテレビジョン放送に対応する電子番組表情報である第１電子番組表情報が取得されたか否かの判定が行われる（Ｓ１０７）。第１電子番組表情報が取得されていないと判定された場合（Ｓ１０７でＮＯ）には、処理が待機状態とされる。第１電子番組表情報が取得されたと判定された場合（Ｓ１０７でＹＥＳ）には、変更判定部１１４によって、録画予約記憶部１２２に格納された対応デジタル番組の番組ＩＤ情報の中から１の番組ＩＤ情報が選定される（Ｓ１０９）。そして、変更判定部１１４によって、ステップＳ１０９において選定された番組ＩＤ情報に対応する対応デジタル番組が期間変更番組（＝放送開始日時及び放送終了日時の少なくとも一方が変更された番組）であるか否かの判定が行われる（Ｓ１１１）。期間変更番組であると判定された場合（Ｓ１１１でＹＥＳ）には、処理がステップＳ１１５に進められる。
【００７０】
期間変更番組ではないと判定された場合（Ｓ１１１でＮＯ）には、変更判定部１１４によって、録画予約記憶部１２２に格納された全ての番組ＩＤ情報に対応する対応デジタル番組について、期間変更番組であるか否かの判定が完了したか否かの判定が行われる（Ｓ１１３）。全ての番組ＩＤ情報に対応する対応デジタル番組について、期間変更番組であるか否かの判定が完了したと判定された場合（Ｓ１１３でＹＥＳ）には、処理がステップＳ１０７に戻され、ステップＳ１０７以降の処理が繰り返し実行される。期間変更番組であるか否かの判定が完了していない対応デジタル番組があると判定された場合（Ｓ１１３でＮＯ）には、処理がステップＳ１０９に戻され、ステップＳ１０９以降の処理が繰り返し実行される。
【００７１】
ステップＳ１１１でＹＥＳの場合には、録画予約更新部１１５によって、録画予約記憶部１２２に格納され、期間変更番組であると判定された対応デジタル番組に対応する録画予約番組の録画予約情報に含まれる放送開始日時情報及び放送終了日時情報が、期間変更番組の変更後の放送開始日時情報及び放送終了日時情報に更新され（Ｓ１１５）、処理がステップＳ１０７に戻され、ステップＳ１０７以降の処理が繰り返し実行される。
【００７２】
図５は、ＨＤＤレコーダ１（主にＭＰＵ１１）における録画実行動作の一例を示すフローチャートである。まず、記録実行部１１６によって、録画予約記憶部１２２に格納された録画予約情報の放送開始日時に到達したか否かの判定が行われる（Ｓ２０１）。放送開始日時に到達していないと判定された場合（Ｓ２０１でＮＯ）には、処理が待機状態とされる。放送開始日時に到達したと判定された場合（Ｓ２０１でＹＥＳ）には、記録実行部１１６によって、アナログ方式のテレビジョン放送を受信する第２受信部１５Ｂを介して、放送開始日時に到達したと判定された録画予約番組が受信されてＨＤＤ１９に記録される（Ｓ２０３）。
【００７３】
そして、記録実行部１１６によって、録画予約記憶部１２２に格納された録画予約情報の放送終了日時に到達したか否かの判定が行われる（Ｓ２０５）。放送終了日時に到達していないと判定された場合（Ｓ２０５でＮＯ）には、処理がステップＳ２０５に戻され、録画処理が継続して実行される。放送終了日時に到達したと判定された場合（Ｓ２０５でＹＥＳ）には、記録実行部１１６によって、録画処理が終了され（Ｓ２０７）、録画予約更新部１１５によって、対応する録画予約情報が録画予約記憶部１２２から消去されて（Ｓ２０９）、処理が終了される。
【００７４】
このようにして、予め設定された所定時間（例えば、１０分）毎に、デジタル方式のテレビジョン放送を受信する第１受信部１５Ａを介して、デジタル方式のテレビジョン放送に対応する第１電子番組表情報が取得され、リモコン３を介してユーザからの操作入力が受け付けられて、受け付けられた操作入力に基づいて、アナログ方式のテレビジョン放送を受信する第２受信部１５Ｂを介して受信されるアナログ方式のテレビジョン放送の番組の中から、録画する対象の番組である録画予約番組が設定されると共に、設定された録画予約番組の放送が開始される日時である放送開始日時情報、及び、録画予約番組の放送が終了される日時である放送終了日時情報を含む録画予約情報が録画予約記憶部１２２に記録される。
【００７５】
そして、録画予約設定部１１２によって録画予約番組が設定された場合に、設定された録画予約番組に対応するデジタル方式のテレビジョン放送の番組である対応デジタル番組が、第１電子番組表情報に基づいて検索され、検索された対応デジタル番組を識別する情報である番組識別情報が、録画予約記憶部１２２に、設定された録画予約番組に対応する録画予約情報と対応付けて記録される。また、予め設定された所定時間（例えば、１０分）毎に、取得された第１電子番組表情報から、録画予約記憶部１２２に格納された各番組識別情報に対応する対応デジタル番組の放送開始日時情報及び放送終了日時情報が抽出され、各対応デジタル番組について、その放送開始日時及び放送終了日時の少なくとも一方が変更された番組である期間変更番組であるか否かが判定される。
【００７６】
更に、期間変更番組であると判定された場合に、録画予約記憶部１２２に格納され、期間変更番組であると判定された対応デジタル番組に対応する録画予約番組の録画予約情報に含まれる放送開始日時情報及び放送終了日時情報が、期間変更番組の変更後の放送開始日時情報及び放送終了日時情報に更新され、録画予約記憶部１２２に格納された録画予約情報に基づいて、録画予約番組が、第２受信部１５Ｂを介して受信されてＨＤＤ１９に記録されるため、放送日時が変更された場合であっても、確実にアナログ放送の録画予約番組を録画することができる。
【００７７】
すなわち、デジタル放送の第１電子番組表情報に基づいて、録画予約記憶部１２２に格納されたアナログ放送の各録画予約番組に対応するデジタル放送の番組である各対応デジタル番組について、その放送開始日時及び放送終了日時の少なくとも一方が変更された番組である期間変更番組であるか否かが判定されるため、デジタル放送の第１電子番組表情報に基づいて、アナログ放送の録画予約番組に対応するデジタル放送の番組である対応デジタル番組の放送日時が変更されたか否かが判定されるので、アナログ放送の録画予約番組の放送日時が変更されたか否かを早期に判定することができるのである。
【００７８】
また、期間変更番組であると判定された場合に、期間変更番組であると判定された対応デジタル番組に対応する録画予約番組の録画予約情報に含まれる放送開始日時情報及び放送終了日時情報が、期間変更番組の変更後の放送開始日時情報及び放送終了日時情報に更新されて、更新された放送開始日時情報及び放送終了日時情報に基づいて第２受信部１５Ｂを介して受信されてＨＤＤ１９に記録されるため、アナログ放送の録画予約番組の放送日時が変更された場合に、アナログ放送の録画予約番組に対応するデジタル放送の番組である対応デジタル番組の放送日時に基づいて受信されてＨＤＤ１９に記録されるので、放送日時が変更された場合であっても、アナログ放送の録画予約番組を確実に録画することができるのである。
【００７９】
つまり、デジタル方式のテレビジョン放送に対応する第１電子番組表情報は、頻繁に（例えば、１０分毎に）更新されるため、アナログ放送の録画予約番組の放送日時が変更された場合には、アナログ放送の録画予約番組に対応するデジタル放送の番組である対応デジタル番組の放送日時が変更されたことを、第１電子番組表情報に基づいて、早期に（例えば、１０分後に）判定し、変更後の放送日時情報を取得することができるので、放送日時が変更された場合であっても、アナログ放送の録画予約番組を確実に録画することができるのである。
【００８０】
更に、予め設定された所定時間（例えば、２４時間）毎に、第２受信部１５Ｂを介して、アナログ方式のテレビジョン放送に対応する第２電子番組表情報が取得され、対応デジタル番組が、第１電子番組表情報及び第２電子番組表情報に基づいて検索されるため、放送日時が変更された場合であっても、更に確実にアナログ放送の録画予約番組を録画することができる。
【００８１】
すなわち、予め設定された所定時間（例えば、２４時間）毎に、第２受信部１５Ｂを介して、アナログ方式のテレビジョン放送に対応する第２電子番組表情報が取得され、対応デジタル番組が、第１電子番組表情報及び第２電子番組表情報に基づいて検索されるため、アナログ放送の録画予約番組に対応するデジタル放送の番組である対応デジタル番組を、第１電子番組表情報及び第２電子番組表情報に含まれる種々の情報（放送開始日時情報、放送終了日時情報、番組が放送される放送局を識別する情報である放送局識別情報、番組名称情報等）に基づいて、的確な対応デジタル番組を検索することができるので、放送日時が変更された場合であっても、更に確実にアナログ放送の録画予約番組を録画することができるのである。
【００８２】
加えて、対応デジタル番組が、録画予約番組の放送開始日時情報、放送終了日時情報、該番組が放送される放送局を識別する情報である放送局識別情報、及び、番組名称情報に基づいて検索されるため、更に的確な対応デジタル番組を検索することができるので、放送日時が変更された場合であっても、更に確実にアナログ放送の録画予約番組を録画することができる。
【００８３】
また、録画予約記憶部１２２に格納された録画予約情報に対応する各録画予約番組がＨＤＤ１９に記録されるまで、各録画予約番組に対応する対応デジタル番組が期間変更番組であるか否かが判定されるため、放送日時が変更された場合であっても、更に確実にアナログ放送の録画予約番組を録画することができる。
【００８４】
すなわち、例えば、録画予約番組（例えば、プロ野球の実況放送番組）が延長される場合には、延長されるか否かの判定は、該録画予約番組の放送終了直前（例えば、１５分前）になって行われることがあるが、このような場合であっても、録画予約記憶部１２２に格納された録画予約情報に対応する各録画予約番組がＨＤＤ１９に記録されるまで、各録画予約番組に対応する対応デジタル番組が期間変更番組であるか否かを判定することによって、期間変更番組であるか否かを適切に判定することが可能となるので、放送日時が変更された場合（ここでは、放送終了直前に延長された場合）であっても、更に確実にアナログ放送の録画予約番組を録画することができるのである。
【００８５】
更に、第１電子番組表情報が取得される度に、期間変更番組であるか否かが判定されるため、実行可能な範囲で最も頻繁に期間変更番組であるか否かが判定されるので、放送日時が変更された場合であっても、更に確実にアナログ放送の録画予約番組を録画することができる。
【００８６】
なお、本発明は、以下の形態にも適用可能である。
（Ａ）本実施形態では、記録媒体がＨＤＤ１９である場合について説明したが、その他の種類の記録媒体（例えば、ＤＶＤ等）である形態でも良い。
【００８７】
（Ｂ）本実施形態では、ＭＰＵ１１が、番組表取得部１１１、録画予約設定部１１２、検索実行部１１３、変更判定部１１４、録画予約更新部１１５、記録実行部１１６等の機能部を備える場合について説明したが、番組表取得部１１１、録画予約設定部１１２、検索実行部１１３、変更判定部１１４、録画予約更新部１１５、及び、記録実行部１１６の内、少なくとも１の機能部が、回路等のハードウェアによって構成されている形態でも良い。
【００８８】
（Ｃ）本実施形態では、検索実行部１１３が、条件１、条件２、条件３の全てを満たす場合に、対応デジタル番組であるとする場合について説明したが、条件１、条件２、条件３の内、少なくとも１の条件を満たす場合に、対応デジタル番組であるとする形態であれば良い。例えば、検索実行部１１３が、条件１及び条件３を満たす場合に、対応デジタル番組であるとする形態でも良い。
【００８９】
（Ｄ）本実施形態では、録画予約更新部１１５が、録画予約番組の録画予約情報に含まれる放送開始日時情報及び放送終了日時情報を、期間変更番組の変更後の放送開始日時情報及び放送終了日時情報に更新する場合について説明したが、録画予約更新部１１５が、更に、期間変更番組の変更後の放送開始日時情報及び放送終了日時情報が有るか否か（＝録画予約番組が放送されるか否か）を判定し、変更後の放送開始日時情報及び放送終了日時情報が無い（＝録画予約番組が放送されない）と判定されると、録画予約番組の録画予約情報を録画予約記憶部１２２する形態でも良い。この場合には、録画予約番組の録画は行われないものの、不要な番組が録画されることを回避することができる。
【００９０】
（Ｅ）本実施形態では、変更判定部１１４が、番組表取得部１１１によって第１電子番組表情報が取得される度に、各録画予約番組が期間変更番組であるか否かを判定する場合について説明したが、変更判定部１１４が、予め設定された所定時間（例えば、１０分）毎に、各録画予約番組が期間変更番組であるか否かを判定する形態であれば良い。例えば、変更判定部１１４が、リモコン３を介してユーザからの操作入力を受け付けて、受け付けられた操作入力に基づいて、録画予約番組が期間変更番組であるか否かを判定する頻度（又は、周期）を設定する形態でも良い。
【図面の簡単な説明】
【００９１】
【図１】は、本発明に係るＨＤＤレコーダの構成の一例を示すブロック図である。
【図２】は、本発明に係るＨＤＤレコーダにおける主要部の機能構成の一例を示す構成図である。
【図３】は、録画予約番組の放送終了日時が更新される場合における番組表の変遷の一例を示す図表である。
【図４】は、ＨＤＤレコーダ（主にＭＰＵ）における録画予約情報の更新動作の一例を示すフローチャートである。
【図５】は、ＨＤＤレコーダ（主にＭＰＵ）における録画実行動作の一例を示すフローチャートである。
【符号の説明】
【００９２】
１    ＨＤＤレコーダ（放送記録装置）
１１    ＭＰＵ
１１１    番組表取得部（番組表取得手段）
１１２    録画予約設定部（録画予約設定手段の一部）
１１３    検索実行部（検索実行手段）
１１４    変更判定部（変更判定手段）
１１５    録画予約更新部（録画予約更新手段）
１１６    記録実行部（記録実行手段）
１２    ＲＡＭ
１２１    番組表記憶部
１２２    録画予約記憶部（録画予約記憶手段）
１４    操作部
１５    受信部
１５Ａ    第１受信部（第１受信手段）
１５Ｂ    第２受信部（第２受信手段）
１８    画像出力部
１９    ＨＤＤ（記録媒体）
２    出力装置
２１    ディスプレイ
２２    スピーカ
３    リモコン（録画予約設定手段の一部）
【図１】
2009118283.tif 000003
【図２】
2009118283.tif 000004
【図３】
2009118283.tif 000005
【図４】
2009118283.tif 000006
【図５】
2009118283.tif 000007